(57)【要約】【課題】不正開封した場合にＩＣチップ組み込みラベルが破壊して識別情報の読み取りが不能となり、不正開封されているとを明確に識別できるようにしたラベルを提供する。【解決手段】性ラベル基材層１の裏面に、コイル形状又はリニア形状のアンテナ線２と、非接触にて読み取り可能なＩＣチップ３とによるラベル識別情報交信機能層４と、該機能層４を挟んで第１の粘着剤層５とを設け、前記脆性ラベル基材層１の表面に、第２の粘着剤層６（又は溶剤揮散型の感熱性接着剤層）を介して、ラベル識別情報交信機能層４を被覆し且つ前記脆性ラベル基材層１を補強する第１のラベル補強材層７を設けた。【選択図】図４
2005309935.tif 000002
【特許請求の範囲】
【請求項１】
脆性ラベル基材層の裏面に、コイル形状又はリニア形状のアンテナ線と、非接触にて読み取り可能なＩＣチップとによるラベル識別情報交信機能層を設けたことを特徴とする貼り換え防止用ＩＣラベル。
【請求項２】
脆性ラベル基材層の裏面に、コイル形状又はリニア形状のアンテナ線と、非接触にて読み取り可能なＩＣチップとによるラベル識別情報交信機能層と、該機能層を挟んで第１の粘着剤層とを設けたことを特徴とする貼り換え防止用ＩＣラベル。
【請求項３】
脆性ラベル基材層の表面に、コイル形状又はリニア形状のアンテナ線と、非接触にて読み取り可能なＩＣチップとによるラベル識別情報交信機能層を設け、該脆性ラベル基材層の裏面に第１の粘着剤層を設け、前記脆性ラベル基材層の表面に、第２の粘着剤層（又は溶剤揮散型の感熱性接着剤層）を介して、ラベル識別情報交信機能層を被覆し且つ前記脆性ラベル基材層を補強する第１のラベル補強材層を設けたことを特徴とする貼り換え防止用ＩＣラベル。
【請求項４】
脆性ラベル基材層の表面に、コイル形状又はリニア形状のアンテナ線と、非接触にて読み取り可能なＩＣチップとによるラベル識別情報交信機能層を設け、該脆性ラベル基材層の裏面に第１の粘着剤層（又は溶剤揮散型の感熱性接着剤層）を設け、前記脆性ラベル基材層の表面に、第２の粘着剤層（又は溶剤揮散型の感熱性接着剤層）を介して、ラベル識別情報交信機能層を被覆し且つ前記脆性ラベル基材層を補強する第１のラベル補強材層を設け、前記脆性ラベル基材層裏面の粘着剤層に第２のラベル補強材層と第３の粘着剤層とをこの順に設けたことを特徴とする貼り換え防止用ＩＣラベル。
【請求項５】
請求項３又は４記載の貼り換え防止用ＩＣラベルにおいて、前記第２の粘着剤層を介して第１のラベル補強材層が、脆性ラベル基材層の周囲外側に延設されていることを特徴とする貼り換え防止用ＩＣラベル。
【請求項６】
請求項３記載の貼り換え防止用ＩＣラベルにおいて、前記第１の粘着剤層及び第２の粘着剤層及び第１のラベル補強材層が、脆性ラベル基材層の周囲外側に延設されていることを特徴とする貼り換え防止用ＩＣラベル。
【請求項７】
請求項４記載の貼り換え防止用ＩＣラベルにおいて、前記第１の粘着剤層及び第２の粘着剤層及び第１のラベル補強材層及び第２のラベル補強材層が、脆性ラベル基材層の周囲外側に延設されていることを特徴とする貼り換え防止用ＩＣラベル。
【請求項８】
請求項２又は３記載の貼り換え防止用ＩＣラベルにおいて、前記第１の粘着剤層には剥離シートが仮貼着されていることを特徴とする貼り換え防止用ＩＣラベル。
【請求項９】
請求項４記載の貼り換え防止用ＩＣラベルにおいて、前記第３の粘着剤層には剥離シートが仮貼着されていることを特徴とする貼り換え防止用ＩＣラベル。
【発明の詳細な説明】
【技術分野】
【０００１】
本発明は、各種商品や商品を包装する容器に貼着して使用する各種商品の改ざん防止用又は真贋判定用のラベルであって、特に商品の情報を表示する表示ラベルや封印ラベル、あるいはシール等の貼り換えを防止するための貼り換え防止用ＩＣラベルに関する。
【背景技術】
【０００２】
従来より、各種の食料品関連商品やトイレタリー関連商品等の各種商品をはじめとして比較的高価な商品等においては、その商品の真贋を判定するために、商品本体や商品を包装したケース等には、商品の造贋や偽造等を防止し、商品の真贋を判定するために、封印ラベルや封印シールが貼着されている。
【０００３】
この封印ラベルや封印シールは、そのラベルやシールを剥がして商品やケース等を不正開封し、中身の商品にいたずらをしたり、偽物の商品と交換したりするのを防止するために、商品やケースの開封部分にオーバーラップさせて貼着使用されている。
【０００４】
このような従来の封印ラベルやシールは、例えば、通常のラベルに、切り込みを入れたり、ラベル基材に脆質性のフィルムを使用して、ラベルを剥がして開封しようとすると、そのラベルの切り込みがきっかけとなって、また、脆質性のフィルムであるために、容易にラベル基材に亀裂や切目が生じて破壊する。
【０００５】
そのために、開封された商品本体やケースを封印するために、再度、その封印ラベルを貼着しようとしても、ラベル基材が破壊しているために使用できず、また、貼着したとしても、そのラベルには外観上、亀裂や切目が生じているために、明確に開封されていることを目視にて識別することができる。
【０００６】
このように、改ざん防止機能や不正開封防止機能を備えた上記ラベルは、容器などの被貼着体に貼着された状態から、一旦剥がした場合には、再度の貼着が不可能であったり、元のラベルの形状に戻らないために、ラベルの復元が困難であり、被貼着体から不正に剥がしたり、不正に開封したことを容易に認知することができる。
【０００７】
しかしながら、上記封印されているラベルやシールと外観的に同じような、偽物の封印ラベルやシールによって、その商品本体やケースの開封部分を封印した場合には、一見してラベルが剥がされ、不正開封されているとは識別できない場合がある。
【特許文献１】特開平７−１４６６５１号公報
【発明の開示】
【発明が解決しようとする課題】
【０００８】
本発明は、封印されるラベルやシールの改ざんや偽造を防止するために、真贋判定用の識別情報が書き込まれたＩＣチップを組み込んだ各種商品の封印ラベル又はシールであって、封印ラベル又はシールを剥がして不正開封しようとすると、ラベル又はシール基材が容易に破断し、そのためにＩＣチップに接続する交信用アンテナが破断し、ＩＣチップ組み込みラベルが破壊して、そのラベルにて商品本体やケースの開封部分を再封印した場合には識別情報の読み取りが不能となり、不正開封されているとを明確に識別できるようにしたラベルを提供することを課題とする。
【課題を解決するための手段】
【０００９】
本発明の請求項１に係る発明は、図１（ａ）〜（ｃ）及び図２に示すように、脆性ラベル基材層１の裏面に、コイル形状又はリニア形状のアンテナ線２と、非接触にて読み取り可能なＩＣチップ３とによるラベル識別情報交信機能層４を設けたことを特徴とする貼り換え防止用ＩＣラベルである。
【００１０】
本発明の請求項２に係る発明は、図３に示すように、脆性ラベル基材層１の裏面に、コイル形状又はリニア形状のアンテナ線２と、非接触にて読み取り可能なＩＣチップ３とによるラベル識別情報交信機能層４と、該機能層４を挟んで第１の粘着剤層５とを設けたことを特徴とする貼り換え防止用ＩＣラベルである。
【００１１】
本発明の請求項３に係る発明は、図４又は図５に示すように、脆性ラベル基材層１の表面に、コイル形状又はリニア形状のアンテナ線２と、非接触にて読み取り可能なＩＣチップ３とによるラベル識別情報交信機能層４を設け、該脆性ラベル基材層１の裏面に第１の粘着剤層５を設け、前記脆性ラベル基材層１の表面に、第２の粘着剤層６（又は溶剤揮散型の感熱性接着剤層）を介して、ラベル識別情報交信機能層４を被覆し且つ前記脆性ラベル基材層１を補強する第１のラベル補強材層７を設けたことを特徴とする貼り換え防止用ＩＣラベルである。
【００１２】
本発明の請求項４に係る発明は、図６に示すように、脆性ラベル基材層１の表面に、コイル形状又はリニア形状のアンテナ線２と、非接触にて読み取り可能なＩＣチップ３とによるラベル識別情報交信機能層４を設け、該脆性ラベル基材層１の裏面に第１の粘着剤層５（又は溶剤揮散型の感熱性接着剤層）を設け、前記脆性ラベル基材層１の表面に、第２の粘着剤層６（又は溶剤揮散型の感熱性接着剤層）を介して、ラベル識別情報交信機能層４を被覆し且つ前記脆性ラベル基材層１を補強する第１のラベル補強材層７を設け、前記脆性ラベル基材層１裏面の第１の粘着剤層５に第２のラベル補強材層８と第３の粘着剤層９とを、この順に設けたことを特徴とする貼り換え防止用ＩＣラベルである。
【００１３】
本発明の請求項５に係る発明は、図４、図５、図６に示すように、上記請求項３又は４に係る貼り換え防止用ＩＣラベルにおいて、前記第２の粘着剤層６を介して第１のラベル補強材層７が、脆性ラベル基材層１の周囲外側に延設されていることを特徴とする貼り換え防止用ＩＣラベルである。
【００１４】
本発明の請求項６に係る発明は、図５に示すように、上記請求項３に係る貼り換え防止用ＩＣラベルにおいて、前記第１の粘着剤層５及び第２の粘着剤層６及び第１のラベル補強材層７が、脆性ラベル基材層１の周囲外側に延設されていることを特徴とする貼り換え防止用ＩＣラベルである。
【００１５】
本発明の請求項７に係る発明は、図６に示すように、上記請求項４に係る貼り換え防止用ＩＣラベルにおいて、前記第１の粘着剤層５及び第２の粘着剤層６及び第１のラベル補強材層７及び第２のラベル補強材層８が、脆性ラベル基材層１の周囲外側に延設されていることを特徴とする貼り換え防止用ＩＣラベルである。
【００１６】
本発明の請求項８に係る発明は、図３、図４、図５に示すように、上記請求項２又は３に係る貼り換え防止用ＩＣラベルにおいて、前記第１の粘着剤層５には、剥離シート１０が仮貼着されていることを特徴とする貼り換え防止用ＩＣラベルである。
【００１７】
本発明の請求項９に係る発明は、図６に示すように、上記請求項４に係る貼り換え防止用ＩＣラベルにおいて、前記第３の粘着剤層９には、剥離シート１０が仮貼着されていることを特徴とする貼り換え防止用ＩＣラベルである。
【発明の効果】
【００１８】
本発明の貼り換え防止用ＩＣラベルＡは、図１（ａ）〜（ｂ）の側断面図、図１（ｃ）の平面図、及び図２の平面図、図３〜図６の側断面図に示すように、脆弱性（脆質）の破断し易いフィルムにより形成した脆性ラベル基材層１に、導電性のアンテナ線２とＩＣチップ３とを組み込んだラベル識別情報交信層４が積層形成されており、図７（ａ）〜（ｂ）に示すように、各種商品本体Ｂや商品本体を包装した包装ケースＢ等の商品の開封部分に、不正に開封ができないように、ラベルＡの脆性ラベル基材層１の裏面に塗布した図１（ｂ）に示す接着剤層若しくは粘着剤５、又は図３、図５に示す第１の粘着剤５、又は図４に示す第１の粘着剤層５及び第２の粘着剤層６、又は図６に示す第３の粘着剤９を介して、封印ラベルやシートとして貼着封印でき、ラベルＡに搭載するＩＣチップ３とコイル形状状又はリニア形状（例えば直線状）のアンテナ線２から発信される、その商品に関するラベル識別情報信号を、リーダーライター手段Ｃにより受信して読み取りすることができ、また、その商品に関する必要なラベル識別情報を信号として書き込みすることができる。
【００１９】
また、本発明の貼り換え防止用ＩＣラベルＡは、図１（ａ）〜（ｃ）、図２、図３、図４、図５、図６に示すように、ラベルＡは、導電性のアンテナ線２とＩＣチップ３とを組み込んだラベル識別情報交信層４が脆性ラベル基材層１面に設けられているものであり、図７（ａ）〜（ｂ）に示すように、各種商品本体Ｂや商品本体を包装した包装ケースＢ等の商品の表面あるいはその商品の開封部分に、商品表示ラベルとして、あるいは封印ラベルや封印シールとして不正開封ができないように貼着したり、封印した本発明の貼り換え防止用ＩＣラベルＡを、商品Ｂの表面から手指にて引き剥がそうとした際には、該ラベルＡの脆性ラベル基材層１は、その引き剥がし力により容易に破断し、該脆性ラベル基材層１に設けたアンテナ線２も、容易に破断（断線）して、ラベルＡ1 とラベルＡ2 とに分断されて切り離される。
【００２０】
そのために、ラベルＡに搭載するラベル識別情報交信層４が破壊してコイル形状又はリニア形状のアンテナ線２の正規の長さが変動し、また、ＩＣチップ３とアンテナ線２から発信される、その商品に関するラベル識別情報信号の波長が変動して、ＩＣチップ３及びアンテナ線２と、リーダーライター手段Ｃとの交信のプロトコルが不調となり、リーダーライター手段ＣによるＩＣチップ３からのラベル情報の読み取りや書き込みが不可能となって、再使用が不可能となるものである。
【００２１】
また、本発明の貼り換え防止用ＩＣラベルＡには、導電性のアンテナ線２とＩＣチップ３とを組み込んだラベル識別情報交信層４を支持する脆性ラベル基材層１が、商品の運搬中や保管中などに、僅かな振動や外力によって不用意に破損しない程度の強度を持たせるために、図４、図５、図６に示すように第１のラベル補強材層７や第２のラベル補強材層８が積層されており、本発明のラベルＡは、手指にて引き剥がした際に、脆性ラベル基材層１が容易に破損する程度の強度を備えているものである。
【００２２】
このように、本発明の貼り換え防止用ＩＣラベルＡは、ラベルやシールの偽造を防止するための真贋判定用の識別情報の読み取りや、書き込みができるＩＣチップ３が組み込まれており、封印ラベル又はシールを剥がして不正開封しようとすると、ラベルＡに設けた脆性ラベル基材層１及びＩＣチップ５に接続する交信用アンテナ線２が破断してラベル識別情報交信層４が破壊し、ラベル識別情報交信層４の破壊したラベルＡにて、商品本体やケースの開封部分を再封印した場合には、識別情報の読み取りは不能となり、ラベルＡが不正剥離や不正開封されていることを明確に認識できるものである。
【発明を実施するための最良の形態】
【００２３】
本発明の貼り換え防止用ＩＣラベルＡの実施の形態を以下に詳細に説明すれば、まず、
本発明の請求項１に係る貼り換え防止用ＩＣラベルＡの実施の形態は、図１（ａ）〜（ｂ）の側面図及び図１（ｃ）の平面図に示すように、脆弱性（脆質）のフィルムを用いて形成した脆性ラベル基材層１の裏面（又は表面）に、コイル形状（渦巻き状）のアンテナ線２を、フォトレジストを用いたフォトエッチング方式などフォトファブリケーション方式や、導電性アンテナパターンを形成した転写紙を用いて転写方式などにより設け、該アンテナ線２に非接触にて読み取り可能なＩＣチップ３を接続したラベル識別情報交信機能層４を設けたものである。なお、図１（ａ）に示すラベルＡは、脆性ラベル基材層１のラベル識別情報交信機能層４側に、使用する際に粘着剤層又は接着剤層を塗布して、ラベルとして使用することができる。また、図１（ｂ）に示すラベルＡは、脆性ラベル基材層１のラベル識別情報交信機能層４とは反対側、又はラベル識別情報交信機能層４側に、粘着剤層５を塗布形成して剥離シート１０を仮貼着した形態でもよい。
【００２４】
図２は、本発明の他の実施の形態であって、リニア形状（例えば直線状）のアンテナ線２をＩＣチップ３に接続したものである。
【００２５】
脆性ラベル基材層１は、物理的な（張力や衝撃など動的外力に対する）易損性のある脆弱性（脆質）のフィルムを用いて形成したものであり、透明フィルム、あるいは白色フィルム等の半透明若しくは不透明フィルムであっても良いが、前記ラベル識別情報交信機能層４を隠蔽可能な半透明又は不透明なフィルムが適当である。
【００２６】
次に、本発明の請求項２に係る貼り換え防止用ＩＣラベルＡの実施の形態は、図３の側断面図に示すように、脆性ラベル基材層１の裏面に、コイル形状又はリニア形状のアンテナ線２と、非接触にて読み取り可能なＩＣチップ３とによるラベル識別情報交信機能層４と、該機能層４を挟んで第１の粘着剤層５とを設けたものである。そして、前記第１の粘着剤層５には、剥離シート１０（紙製又はプラスチック製シートにシリコーン樹脂等の離型剤層がコーティング等にて積層されているセパレータ）が易剥離可能に仮貼着されている。
【００２７】
次に、本発明の請求項３に係る貼り換え防止用ＩＣラベルＡの実施の形態は、図４の側断面図に示すように、脆性ラベル基材層１の表面に、コイル形状又はリニア形状のアンテナ線２と、非接触にて読み取り可能なＩＣチップ３とによるラベル識別情報交信機能層４を設け、該脆性ラベル基材層１の裏面に第１の粘着剤層５を設けてあり、前記脆性ラベル基材層１の表面には、第２の粘着剤層６（又は溶剤揮散型の感熱性接着剤層）を介して、ラベル識別情報交信機能層４を被覆し、且つ前記脆性ラベル基材層４を補強する第１のラベル補強材層７を設けたものである。そして、前記第１の粘着剤層５には、剥離シート１０（紙製又はプラスチック製シートにシリコーン樹脂等の離型剤層がコーティング等にて積層されているセパレータ）が易剥離可能に仮貼着されている。
【００２８】
また、本発明の上記請求項３に係る貼り換え防止用ＩＣラベルＡの他の実施の形態は、図５に示すように、脆性ラベル基材層１の表面に、コイル形状又はリニア形状のアンテナ線２と、非接触にて読み取り可能なＩＣチップ３とによるラベル識別情報交信機能層４を設け、該脆性ラベル基材層１の裏面に第１の粘着剤層５を設け、前記脆性ラベル基材層１の表面に、第２の粘着剤層６を介してラベル識別情報交信機能層４を被覆し、且つ前記脆性ラベル基材層１を補強する第１のラベル補強材層７を設けたものであり、前記第１のラベル補強材層７が、第２の粘着剤層６を介して脆性ラベル基材層１の周囲外側に延設されているものである。そして、前記第１の粘着剤層５と、脆性ラベル基材層１の周囲外側に延設された第２の粘着剤層６には、剥離シート１０（紙製又はプラスチック製シートにシリコーン樹脂等の離型剤層がコーティング等にて積層されているセパレータ）が易剥離可能に仮貼着されている。
【００２９】
また、本発明の上記請求項３に係る貼り換え防止用ＩＣラベルＡの他の実施の形態は、図５に示すように、脆性ラベル基材層１の表面に、コイル形状又はリニア形状のアンテナ線２と、非接触にて読み取り可能なＩＣチップ３とによるラベル識別情報交信機能層４を設け、該脆性ラベル基材層１の裏面に第１の粘着剤層５を設け、前記脆性ラベル基材層１の表面に、第２の粘着剤層６を介してラベル識別情報交信機能層４を被覆し、且つ前記脆性ラベル基材層１を補強する第１のラベル補強材層７を設けたものであり、前記第１の粘着剤層５と第２の粘着剤層６を介して第１のラベル補強材層７とが、脆性ラベル基材層１の周囲外側に延設されているものである。そして、前記第１の粘着剤層５には、剥離シート１０（紙製又はプラスチック製シートにシリコーン樹脂等の離型剤層がコーティング等にて積層されているセパレータ）が易剥離可能に仮貼着されている。
【００３０】
次に、本発明の請求項４に係る貼り換え防止用ＩＣラベルＡの実施の形態は、図６に示すように、脆性ラベル基材層１の表面に、コイル形状又はリニア形状のアンテナ線２と、非接触にて読み取り可能なＩＣチップ３とによるラベル識別情報交信機能層４を設け、該脆性ラベル基材層１の裏面には、第１の粘着剤層５（又は溶剤揮散型の感熱性接着剤層）を設け、前記脆性ラベル基材層１の表面には、第２の粘着剤層６（又は溶剤揮散型の感熱性接着剤層）を介してラベル識別情報交信機能層４を被覆し、且つ、前記脆性ラベル基材層４を補強する第１のラベル補強材層７を設け、前記脆性ラベル基材層１裏面に前記第１の粘着剤層５を介して第２のラベル補強材層８と第３の粘着剤層９とをこの順に設けたものである。そして、前記第３の粘着剤層９には、剥離シート１０（紙製又はプラスチック製シートにシリコーン樹脂等の離型剤層がコーティング等にて積層されているセパレータ）が易剥離可能に仮貼着されている。
【００３１】
また、本発明の上記請求項４に係る貼り換え防止用ＩＣラベルＡの他の実施の形態は、図６に示すように、脆性ラベル基材層１の表面に、コイル形状又はリニア形状のアンテナ線２と、非接触にて読み取り可能なＩＣチップ３とによるラベル識別情報交信機能層４を設け、該脆性ラベル基材層１の裏面には、第１の粘着剤層５を設け、前記脆性ラベル基材層１の表面には、第２の粘着剤層６を介してラベル識別情報交信機能層４を被覆し、且つ、前記脆性ラベル基材層４を補強する第１のラベル補強材層７を設け、前記脆性ラベル基材層１裏面の前記第１の粘着剤層５に、第２のラベル補強材層８と第３の粘着剤層９とをこの順に設け、前記第１のラベル補強材層７と第２の粘着剤層６、及び前記第２のラベル補強材層８と第３の粘着剤層９とを、脆性ラベル基材層１の周囲外側に延設したものである。そして、前記第３の粘着剤層９には、剥離シート１０（紙製又はプラスチック製シートにシリコーン樹脂等の離型剤層がコーティング等にて積層されているセパレータ）が易剥離可能に仮貼着されている。
【００３２】
本発明の貼り換え防止用ＩＣラベルＡは、そのラベル基材層として、図１（ａ）〜（ｂ）に示すように脆質フィルム材料のみにより形成された脆性ラベル基材層１であってもよいし、図４、図５に示すように、脆質フィルム材料のみにより形成された脆性ラベル基材層１と第１のラベル補強材層７とによるものであってもよいし、図６に示すように、脆質フィルム材料のみにより形成された脆性ラベル基材層１と第１のラベル補強材層７と第２のラベル補強材層８とによるものであってもよい。
【００３３】
脆性ラベル基材層１を形成するための脆質フィルムとしては、セルロースアセテート、低密度ポリエチレン、ポリスチレン、ポリ塩化ビニル、ポリフェニレンサルファイド等の高結晶性プラスチックを用いて溶液成膜により形成した成膜フィルム、あるいは、カオリン、炭酸カルシウムなどの粉体による非導電性の体質材を、適量混合して脆質化した高結晶性合成樹脂を用いて成膜したフィルムなどが使用できる。また、その他に、ポリエチレン、ポリスチレン、ポリ塩化ビニル、エチレン−酢酸ビニル共重合体等の合成樹脂中に、カオリン、炭酸カルシウム等の非導電性の体質材を適量混合して脆質化した合成樹脂を用
いて成膜したフィルムなどが使用できる。また、その他に、ＵＶ硬化型合成樹脂又はカオリン、炭酸カルシウム等の非導電性の体質材を適量混合したＵＶ硬化型合成樹脂を用い、その樹脂薄膜をＵＶ（紫外線）の光照射により硬化乾燥させて成膜したフィルムなどが使用できる。
【００３４】
脆性ラベル基材層１を形成するための脆質フィルムとしては、具体的には、例えば、厚さ５０μｍ程度の白色ポリ塩化ビニルフィルム（ＦＰ１１０２Ｂ  ＰＡＴ１  １１ＨＬ、リンテック（株）製）が使用できる。
【００３５】
また、脆性ラベル基材層１を補強するための上記第１のラベル補強材層７や、第２のラベル補強材層８を形成するための補強材料としては、手指にて容易に破断し易い材質が良く、例えば、上質紙、コート紙（薄めのクレーコート層を有する紙）、アート紙（厚めのクレーコート層を有する紙）などの用紙が適当であるが、その他に、一軸延伸したポリエチレン、ポリプロピレンなどの合成樹脂フィルム（延伸方向に容易に引き裂き、破断し易いフィルム）などが採用できる。
【００３６】
本発明の貼り換え防止用ＩＣラベルＡの脆性ラベル基材層１の片面には、所定幅の導電性のコイル状（図１（ｃ）参照）、又は直線状（図２参照）のアンテナ線４（例えば、アルミニウム又は銅等による導電性層）と、それに接続したＩＣチップ５（情報記憶用メモリ、プロトコル用のＣＰＵ等を搭載）とを積層形成したラベル識別情報交信機能層４を備えている。
【００３７】
本発明の貼り換え防止用ＩＣラベルＡを使用する際には、例えば、図１（ａ）に示すラベルＡの脆性ラベル基材層１のラベル識別情報交信機能層４側に、接着剤層（感圧性粘着剤層又は感熱性接着剤層、図示せず）を塗布形成し、その接着剤層を介して所定の封印すべき物品や商品Ｂの開封部分に貼着して使用される。また、図１（ｂ）に示すラベルＡの脆性ラベル基材層１のラベル識別情報交信機能層４とは反対側、又はラベル識別情報交信機能層４側に、粘着剤層５を塗布形成し、該粘着剤層５に剥離シート１０を仮貼着したものを使用し、剥離シート１０を剥離除去した後、その粘着剤層５を介して所定の封印すべき物品や商品Ｂの開封部分に貼着して使用される。
【００３８】
また、本発明の貼り換え防止用ＩＣラベルＡを使用する際には、図３に示すラベルＡの第１の粘着剤層５から剥離シート１０を剥がし、また、図４に示すラベルＡの第１の粘着剤層５、又は第１の粘着剤層５と第２の粘着剤層６から、剥離シート１０を剥がし、また、図５に示すラベルＡの第１の粘着剤層５から、剥離シート１０を剥がし、また、図６に示すラベルＡの第３の粘着剤層９から、剥離シート１０を剥がし、それぞれ第１の粘着剤層５、又は第１、第２の粘着剤層５、６、又は第３の粘着剤層９にて、所定の封印すべき物品や商品Ｂの表面、又は封止、開封部分に貼着して使用される。
【００３９】
本発明の貼り換え防止用ＩＣラベルＡは、商品情報表示ラベル、あるいは封印ラベルやシールとして容器に貼着したり、容器を封印することができ、ラベルＡに搭載するＩＣチップ３とコイル形状状又はリニア形状（例えば直線状）のアンテナ線２から発信される、その商品に関するラベル識別情報信号を、リーダーライター手段Ｃにより受信して読み取りすることができ、また、その商品に関する必要なラベル識別情報を信号として書き込みすることができる。
【００４０】
図７（ａ）に示すように、各種商品本体Ｂや商品本体を包装した包装ケースＢ等の商品の封止、開封部分に、封印ラベルやシートとして不正開封ができないように貼着封印した本発明の貼り換え防止用ＩＣラベルＡを、商品Ｂの表面から手指にて引き剥がそうとした際には、図７（ａ）に示すように、ラベルＡに設けたアンテナ線２と交差（横断）する方
向の引き剥がし力により、例えば、封止、開封線４０の方向に、脆性ラベル基材層１が破断するとともに、該脆性ラベル基材層１に設けたラベル識別情報交信機能層４のアンテナ線２が容易に破断（断線）してラベルＡ1 とラベルＡ2 とに分断されて切り離される。
【００４１】
そして、ラベルＡに搭載するコイル状又は直線状のアンテナ線４は、その正規の長さが変動し、また、ＩＣチップ３と直線状又はコイル状のアンテナ線４から発信されるその商品に関するラベル識別情報信号の波長が変動して、ＩＣチップ３及びアンテナ線２と、リーダーライター手段Ｃとの交信のプロトコルが不調となる。
【００４２】
そして、リーダーライター手段ＣによるＩＣチップ３からのラベル情報の読み取りや書き込みが不可能となって、破断したラベルＡの再使用は不可能となる。
【図面の簡単な説明】
【００４３】
【図１】（ａ）は本発明の貼り換え防止用ＩＣラベルの一例を示す側断面図、（ｂ）は本発明の貼り換え防止用ＩＣラベルの他の例を示す側断面図、（ｃ）は本発明の貼り換え防止用ＩＣラベルの一例を示す平面図。
【図２】本発明の貼り換え防止用ＩＣラベルの他の実施例の平面図。
【図３】本発明の貼り換え防止用ＩＣラベルの側断面図。
【図４】本発明の貼り換え防止用ＩＣラベルの側断面図。
【図５】本発明の貼り換え防止用ＩＣラベルの側断面図。
【図６】本発明の貼り換え防止用ＩＣラベルの側断面図。
【図７】（ａ）は本発明の貼り換え防止用ＩＣラベルを商品の開封部分面に貼着して封印した状態を説明する斜視図、（ｂ）はその部分側断面図。
【符号の説明】
【００４４】
Ａ…貼り換え防止用ＩＣラベル  Ｂ…商品  Ｃ…リーダーライター
１…脆性ラベル基材層  ２…アンテナ線  ３…ＩＣチップ
４…ラベル識別情報交信機能層  ５…第１の粘着剤層  ６…第２の粘着剤層
７…第１のラベル補強材層  ８…第２のラベル補強材層  ９…第３の粘着剤層
１０…剥離シート
【図１】
2005309935.tif 000003
【図２】
2005309935.tif 000004
【図３】
2005309935.tif 000005
【図４】
2005309935.tif 000006
【図５】
2005309935.tif 000007
【図６】
2005309935.tif 000008
【図７】
2005309935.tif 000009